(57)【要約】【課題】経机又は仏具載置棚と関係なく厨子の扉を開閉したい場合と、経机又は仏具載置棚に連動して厨子の扉を開閉したい場合とを選択して使用できるようにした仏壇を提供すること。【解決手段】仏壇本体内に収められた厨子の扉を二本のワイヤーの引張により交互に開閉するように構成した仏壇において、前記二本のワイヤー制御するリンクを設けると共に、該リンクに摘みを有する操作板を設け、この操作板を引き出し、押し込みすることにより前記厨子の扉を開閉するようにしたことを特徴とする。【選択図】        図４
2004283537.tif 000002
【特許請求の範囲】
【請求項１】
仏壇本体内に収められた厨子の扉を二本のワイヤーの引張により交互に開閉するように構成した仏壇において、前記二本のワイヤー制御するリンクを設けると共に、該リンクに摘みを有する操作板を設け、この操作板を引き出し、押し込みすることにより前記厨子の扉を開閉するようにしたことを特徴とする仏壇。
【請求項２】
請求項１記載の仏壇において、前記操作板を仏壇本体下方に収められた経机又は仏具載置棚に着脱自在に装着したことを特徴とする仏壇。
【発明の詳細な説明】
【０００１】
【発明の属する技術分野】
本発明は、仏壇本体内に収められた厨子の扉を任意に開閉したり、仏壇本体の経机又は仏具載置棚を引き出したり、押し込んだりすることにより自動的に厨子の扉を開閉することができる仏壇に関するものである。
【０００２】
【従来の技術】
仏壇本体下方に収められた経机又は仏具載置棚の引出しに連動して仏壇本体内の厨子の扉を開放し、経机又は仏具載置棚を元の位置に戻すときに自動的に厨子の扉を閉鎖するようにした仏壇として特開２００２−１０９０３号公報に記載されるものがある。
【０００３】
【発明が解決しようとする課題】
しかしながら、この発明にあっては、仏壇本体下方に収められた経机又は仏具載置棚の引出しに連動して仏壇本体内の厨子の自動閉鎖扉を開放するようにしたものであったため、厨子の扉を開閉するためには必ず経机又は仏具載置棚を仏壇本体内から出し入れしなければならず、経机又は仏具載置棚と関係なく厨子の扉を開閉したい場合には却って不便であるという問題点があった。
【０００４】
【発明の目的】
本発明は、上記問題点を解決するために、経机又は仏具載置棚と関係なく厨子の扉を開閉したい場合と、経机又は仏具載置棚に連動して厨子の扉を開閉したい場合とを選択して使用できるようにした仏壇を提供することを目的とするものである。
【０００５】
【課題を解決するための手段】
本発明に係る仏壇は、仏壇本体内に収められた厨子の扉を二本のワイヤーの引張により交互に開閉するように構成した仏壇において、前記二本のワイヤー制御するリンクを設けると共に、該リンクに摘みを有する操作板を設け、この操作板を引き出し、押し込みすることにより前記厨子の扉を開閉するようにしたことを特徴とするものである。
【０００６】
【発明の作用】
連結板を出し入れすることによって経机又は仏具載置棚とは無関係に厨子の扉が開閉され、連結板を経机又は仏具載置棚に関連させることによって経机又は仏具載置棚の出し入れによって厨子の扉が自動的に開閉される。
【０００７】
【発明の実施の態様】
本発明の実施の態様を図面について具体的に説明する。
【０００８】
図１は、本発明に係る仏壇の厨子の扉を閉鎖した状態の斜視図、図２は、厨子の扉を開放した状態の斜視図、図３は、厨子の扉の開閉機構を表す斜視図、図４は、リンクと操作板の関係を表わす斜視図、図５は、摘みと係止金具との非係止状態の斜視図、図６は、同摘みと係止金具との係止状態の斜視図、図７は、仏具載置棚と操作板を関連付けた仏具載置棚引き出し状態の側面図、図８は、仏具載置棚と操作板を関連付けた仏具載置棚押し込み状態の側面図、図９は、ガイド溝とガイドピンの関係を表わす正面図である。
【０００９】
１は、仏壇本体であって、同仏壇本体内部には開口部が観音開きの二枚折戸式の扉２１、２１で開閉される厨子２が収納されている。
【００１０】
３は、仏壇本体１の側板に取り付けられた棚受（図示せず）に両端が支持されて前後にスライドする燭台、線香立て等の仏具載置棚で、仏壇本体内に収納される経机の天板であってもよい。
【００１１】
４−１、４−２は、前記厨子２の扉２１、２１を開閉するためのワイヤーで、方向変換のためのプーリーを介して仏壇本体１の裏板の背面から厨子２の天井板２２に向かって延びており、後述する扉の開閉機構に連結されている。
【００１２】
厨子２の扉の開閉機構は、厨子２の左右の扉２１、２１の突合せ端の上端にそれぞれ固着されたピン２ａ、２ａが天井板２２に形成されたガイド溝２２ａに案内されて左右に動くようになっており、同ピン２ａ、２ａには前記ワイヤー４−１、４−２の一端が固着され、ワイヤー４−１が引張されるときは扉２１、２１が開放し、ワイヤー４−２が引張されるときは扉２１、２１が閉鎖するようになっている。
【００１３】
前述の方向変換のためのプーリーの間を張架された前記ワイヤー４−１、４−２の他端は仏壇１の内部の固定板１１にピン５１にて中央が枢支されるリンク５の両端にそれぞれ固着され、リンク５の左右の揺動によって引張されるようになっている。
【００１４】
６は、前記リンク５の一端にピン６１で枢支される操作板で、他端にはスプリング６２で常時は下方向に突出するように付勢される摘み６３が設けられ、仏具載置棚３の下面に形成されたガイド溝３１に左右方向に若干の自由度を以て嵌挿されるガイドピン６４が固着されている。
【００１５】
７は、仏具載置棚３の下面に固着された前記摘み６３の軸６３ａが係合する係止金具で、摘み６３をスプリング６２の復元力に抗して押し上げることによって摘み６３の軸６３ａが係合できるようになっている。
【００１６】
次に、本発明の上記構成に従い図示する実施例について本発明の具体的用法並びに作用を説明する。
【００１７】
先ず、厨子２の扉２１、２１を仏具載置棚３とは無関係に任意に開閉する場合は、図１の状態において摘み６３を手前に引いてやるとリンク５は時計方向に回転し、ワイヤー４−１が引張されて扉２１、２１が図２のように開放し、扉２１、２１が図２の開放状態のときは摘み６３を押し込んでやるとリンク５は反時計方向に回転し、ワイヤー４−２が引張されて扉２１、２１が図１のように閉鎖する。
【００１８】
次に、仏具載置棚３の引き出しと押し込みに連動させて厨子２の扉２１、２１を開閉したい場合は、仏具載置棚３を引き出した状態において操作板６を引き出し、厨子２の扉２１、２１を開放した状態にした後、図５のように摘み６３を下からスプリング６２の復元力に抗して係止金具７と係合できる位置まで押し上げ、横に振って摘み６３の軸６３ａを図６のように係合させる。
【００１９】
摘み６３の軸６３ａが係止金具７に係合することによって操作板６は仏具載置棚３と一体化し、仏具載置棚３を押し込むことによって操作板６は前述のように押し込まれ、厨子２の扉２１、２１は閉鎖する。
【００２０】
爾後、仏具載置棚３の引き出し、押し込みに連動して厨子２の扉２１、２１は開閉する。
【００２１】
仏具載置棚３を引き出した儘厨子２の扉２１、２１を開閉したい場合は、摘み６３の軸６３ａと係止金具７との係合を解除してやればよいものである。
【００２２】
【発明の効果】
以上述べた如く、本発明に係る仏壇によれば、仏壇本体内に収められた厨子の扉を二本のワイヤーの引張により交互に開閉するように構成した仏壇において、前記二本のワイヤー制御するリンクを設けると共に、該リンクに摘みを有する操作板を設け、この操作板を引き出し、押し込みすることにより前記厨子の扉を開閉するようにしたものであるから、経机又は仏具載置棚とは無関係に厨子の扉を開閉したい場合には操作板のみを操作すればよく、経机又は仏具載置棚の引出しに連動して仏壇本体内の厨子の扉を開閉したい場合には操作板の摘みを経机又は仏具載置棚に係止金具を介して係合させればよいもので、経机又は仏具載置棚と関係なく厨子の扉を開閉したい場合と、経机又は仏具載置棚に連動して厨子の扉を開閉したい場合とを選択することができて便利である。
【図面の簡単な説明】
【図１】本発明に係る仏壇の厨子の扉を閉鎖した状態の斜視図である。
【図２】厨子の扉を開放した状態の斜視図である。
【図３】厨子の扉の開閉機構を表す斜視図である。
【図４】リンクと操作板の関係を表わす斜視図である。
【図５】摘みと係止金具との非係止状態の斜視図である。
【図６】同摘みと係止金具との係止状態の斜視図である。
【図７】仏具載置棚と操作板を関連付けた仏具載置棚引き出し状態の側面図である。
【図８】仏具載置棚と操作板を関連付けた仏具載置棚押し込み状態の側面図である。
【図９】ガイド溝とガイドピンの関係を表わす正面図である。
【符号の説明】
１          仏壇本体
２          厨子
２１        扉
３          仏具載置棚
４          ワイヤー
５          リンク
６          操作板
６３        摘み
７          係止金具
【図１】
2004283537.tif 000003
【図２】
2004283537.tif 000004
【図３】
2004283537.tif 000005
【図４】
2004283537.tif 000006
【図５】
2004283537.tif 000007
【図６】
2004283537.tif 000008
【図７】
2004283537.tif 000009
【図８】
2004283537.tif 000010
【図９】
2004283537.tif 000011